(57)【要約】【課題】泥水や泥が耕深表示部にある耕深を示す指標である数字に付着して、数字自体を読み取ることができなくなった場合でも、作業者が耕深を確認することができるようにする。【解決手段】本発明の一実施形態に係る農作業機は、機体に回転自在に支持された耕耘ロータで耕耘し、前記耕耘の深さである耕深を示す指標を有する耕深表示装置を含む代かき作業機であって、前記耕深表示装置は、前記機体に設けられて、複数の異なる指標を前記指標ごとに異なる形状で示す表示板と、前記表示板に沿って移動自在に支持された指針アームと、を含む耕深表示部を備えることを特徴としてもよい。【選択図】図３
2016198073.tif 000002
【特許請求の範囲】
【請求項１】
機体に回転自在に支持された耕耘ロータで耕耘し、前記耕耘の深さである耕深を示す指標を有する耕深表示装置を含む農作業機であって、
前記耕深表示装置は、
前記機体に設けられて、複数の異なる指標を前記指標ごとに異なる形状で示す表示板と、前記表示板に沿って移動自在に支持された指針アームと、を含む耕深表示部を備えることを特徴とする農作業機。
【請求項２】
前記指標ごとに異なる形状は、階段形状であることを特徴とする請求項１に記載の農作業機。
【請求項３】
前記耕耘ロータの上部を覆うカバー部と、
前記カバー部の後部に上下方向に回動自在に配設されて前記耕耘ロータにより耕耘された耕土を整地する第１整地板と、
前記第１整地板の後部に上下方向に回動自在に配設されて耕土表面を均平にする第２整地板と、をさらに備え、
前記耕深表示装置は、一端側が前記機体に回動自在に接続されて他端側が前記第２整地板に回動自在に接続され、前記耕耘ロータにより耕耘された耕土の耕深に応じた前記第１整地板に対する前記第２整地板の回動に伴って上下方向に回動するリンク機構部、をさらに備え、
前記リンク機構部は、一端側が前記機体に回動自在に設けられて他端側が機体進行方向後側に延びて上下方向に揺動可能な揺動アームと、前記揺動アームの他端部と前記第２整地板の上面との間に接続された連結ロッドとを有し、
前記耕深表示部は、前記耕深表示部の一端側が前記揺動アームに接続されることを特徴とする請求項１または２に記載の農作業機。
【請求項４】
前記耕耘ロータの上部を覆うカバー部と、
前記カバー部の後部に上下方向に回動自在に配設されて前記耕耘ロータにより耕耘された耕土を整地する第１整地板と、
前記第１整地板に取り付けられた取付部と、をさらに備え、
前記耕深表示装置は、
一端側が前記取付部に回動自在に設けられ、他端側が前記指針アームの一端側に回動自在に設けられ、前記第１整地板の回動に伴って前記機体の前後方向に回動するリンク部材と、をさらに備えることを特徴とする請求項１または２に記載の農作業機。
【発明の詳細な説明】
【技術分野】
【０００１】
本発明は、農作業機に関する。特に、本発明は、耕深表示装置を有する農作業機に関する。
【背景技術】
【０００２】
耕耘ロータにより耕耘された耕土を整地する第１整地板と第１整地板の後部に上下方向に回動自在に設けられて耕土表面を均平にする第２整地板を備える農作業機、例えば、代かき作業機は、一般に、走行可能な走行機体の後部に三点リンク連結機構を介して昇降可能に連結されて、走行機体の前進走行とともに進行しながら代かき作業が行われる。代かき作業機の昇降操作は、走行機体に搭乗した作業者が走行機体に設けられた操作スイッチを操作することによって行われる。
【０００３】
この代かき作業機によって代かき作業を行う場合、圃場の耕盤に凹凸があると、走行機体が上下方向に移動するに伴って代かき作業機も上下方向に移動して、耕耘ロータによって耕耘された耕土の耕深が変化する。この耕深の変化は、稲の生育に悪影響を与える。
【０００４】
そこで、代かき作業時に、耕盤の凹凸に応じて、走行機体に搭乗した作業者が操作スイッチを操作して代かき作業機の上下位置調整を行うことで、耕深を一定にすることができる。しかしながら、代かき作業は圃場に水を入れて行う作業であるため、水の多少によって実際の耕深を見誤って、耕深を一定にすることができなくなる虞がある。
【０００５】
そこで、機体に回動自在に接続されて、耕耘ロータにより耕耘された耕土の耕深に応じて上下方向に回動するリンク機構部の回動に応じて、耕深を示す指標を有する耕深表示装置を備える代かき作業機が提案されている（特許文献１）。代かき作業時に、作業者が耕深表示装置の耕深表示部にある耕深を示す指標である記号を確認することにより、耕耘ロータの位置調整が正確に行われて耕深を一定にすることができる。
【先行技術文献】
【特許文献】
【０００６】
【特許文献１】特開２０１２−２０５５１９号公報
【発明の概要】
【発明が解決しようとする課題】
【０００７】
ところで、一般に、代かき作業では、圃場に水が入れられるため、作業によって、泥水や泥などが代かき作業機に跳ねることがある。そして、この泥水や泥が、図９に示すような従来の代かき作業機の耕深表示部１００にある耕深を示す指標である記号（図９においては、「１」「２」「３」「４」の数字）に付着した場合には、作業者が記号を読み取れないという問題が生じる。また、従来の代かき作業機の耕深表示部の表示板９１は長方形状に形成されているため、耕深を示す指標が「１」「２」「３」「４」のいずれであっても、同じ形状となってしまう。そのため、耕深表示部にある耕深を示す指標である記号に泥水や泥がついて読み取れなくなると、作業者は、耕深表示部の形状によって耕深を示す指標を確認するということもできなくなってしまう。その結果、作業者が耕深を示す指標を確認することができず、作業者が水の多少によって実際の耕深を見誤って、耕深を一定にすることができなくなってしまう。なお、ここで、「耕深」とは、耕耘をしていない場所の地表と、耕耘をして掘り返された土の底面との距離をいい、「ｃｍ」または「ｍｍ」単位で表わされる。「耕深を示す指標」とは、「耕深」に対応して「耕深」の程度を表わす記号、数字、文字等の指標であって、例えば、図９のように、「１」「２」「３」「４」という数字であってもよいし、図３、図７のように、「５」「１０」「１５」という数字であってもよい。耕深と相関関係がとれてさえすればよい。
【０００８】
本発明は、上記のような従来技術に伴う課題を解決しようとするものであって、その目的とするところは、泥水や泥が耕深表示部にある耕深を示す指標である記号に付着して、記号自体を読み取ることができなくなった場合でも、作業者が耕深を示す指標を確認することができるようにするところにある。
【課題を解決するための手段】
【０００９】
本実施形態によれば、機体に回転自在に支持された耕耘ロータで耕耘し、前記耕耘の深さである耕深を示す指標を有する耕深表示装置を含む農作業機であって、前記耕深表示装置は、前記機体に設けられて、複数の異なる指標を前記指標ごとに異なる形状で示す表示板と、前記表示板に沿って移動自在に支持された指針アームと、を含む耕深表示部を備えることを特徴とする農作業機が提供される。
【００１０】
また、前記指標ごとに異なる形状は、階段形状であってもよい。
【００１１】
前記耕耘ロータの上部を覆うカバー部と、前記カバー部の後部に上下方向に回動自在に配設されて前記耕耘ロータにより耕耘された耕土を整地する第１整地板と、前記第１整地板の後部に上下方向に回動自在に配設されて耕土表面を均平にする第２整地板と、をさらに備え、前記耕深表示装置は、一端側が前記機体に回動自在に接続されて他端側が前記第２整地板に回動自在に接続され、前記耕耘ロータにより耕耘された耕土の耕深に応じた前記第１整地板に対する前記第２整地板の回動に伴って上下方向に回動するリンク機構部、をさらに備え、前記リンク機構部は、一端側が前記機体に回動自在に設けられて他端側が機体進行方向後側に延びて上下方向に揺動可能な揺動アームと、前記揺動アームの他端部と前記第２整地板の上面との間に接続された連結ロッドとを有し、前記耕深表示部は、前記耕深表示部の一端側が前記揺動アームに接続されてもよい。
【００１２】
前記耕耘ロータの上部を覆うカバー部と、前記カバー部の後部に上下方向に回動自在に配設されて前記耕耘ロータにより耕耘された耕土を整地する第１整地板と、前記第１整地板に取り付けられた取付部と、をさらに備え、前記耕深表示装置は、一端側が前記取付部に回動自在に設けられ、他端側が前記指針アームの一端側に回動自在に設けられ、前記第１整地板の回動に伴って前記機体の前後方向に回動するリンク部材と、をさらに備えてもよい。
【発明の効果】
【００１３】
本発明に係る農作業機の耕深表示装置によれば、泥水や泥が耕深表示部にある耕深を示す指標である記号に付着して、記号自体を読み取ることができなくなった場合でも、作業者が耕深を示す指標である記号を確認することができる。
【図面の簡単な説明】
【００１４】
【図１】第１実施形態に係る耕深表示装置が搭載された代かき作業機の側面側の構造図である。
【図２】第１実施形態に係る耕深表示装置が搭載された代かき作業機の平面図である。
【図３】第１実施形態に係る耕深表示装置の耕深表示部の平面図である。
【図４】耕深が比較的に浅いときの第１実施形態に係る耕深表示装置の作動を説明するための代かき作業機の側面側の構造図である。
【図５】耕深が比較的に深いときの第１実施形態に係る耕深表示装置の作動を説明するための代かき作業機の側面側の構造図である。
【図６】第１実施形態の変形例に係る耕深表示装置が搭載された代かき作業機の側面側の構造図である。
【図７】第２実施形態に係る耕深表示装置の耕深表示部の平面図である。
【図８】第３実施形態に係る耕深表示装置が搭載された代かき作業機のうち、主に耕深表示装置を示す側面図である。
【図９】従来の耕深表示装置の耕深表示部の平面図である。
【発明を実施するための形態】
【００１５】
以下、本発明の一実施形態について、図面を参照しながら詳細に説明する。以下に示す実施形態は本発明の実施形態の一例であって、本発明はこれらの実施形態に限定されるものではない。なお、本実施形態で参照する図面において、同一部分または同様な機能を有する部分には同一の符号または類似の符号（数字の後にＡ、Ｂなどを付しただけの符号）を付し、その繰り返しの説明は省略する場合がある。また、図面の寸法比率は説明の都合上実際の比率とは異なったり、構成の一部が図面から省略されたりする場合がある。
【００１６】
以下、本発明の好ましい実施の形態を図１乃至図８に基づいて説明する。本実施形態は、代かき作業機のうち作業機本体の両側に左右の作業体が折り畳み且つ展開可能な代かき作業機を例にして説明する。耕深表示装置を説明する前に、まず、代かき作業機について、図１（側面側構造図）及び図２（平面図）を用いて説明する。
【００１７】
＜代かき作業機＞
代かき作業機１は、図１及び図２に示すように、走行機体９０の後部に装着されて走行機体９０の前進走行とともに進行して代かき作業を行うものであり、機体前進方向に対して左右方向の中央部に配置された作業機本体２と、この左右両端部に上下方向に回動可能に取り付けられた左作業体２０Ｌ及び右作業体２０Ｒとを備え、作業機本体２、左作業体２０Ｌ、右作業体２０Ｒによって３分割構造になっている。
【００１８】
作業機本体２は、左右方向に延びる主フレーム３を有した機体５の前部に、走行機体９０の後部に設けられた３点リンク連結機構（図示せず）が連結されて、走行機体９０の後部に対して昇降可能に装着される。主フレーム３の左右方向の中央部には前方へ突出する入力軸６ａを備えたギアボックス６が設けられ、走行機体９０のＰＴＯ（Ｐｏｗｅｒ  Ｔａｋｅ  Ｏｆｆ）軸からユニバーサルジョイント等の動力伝達手段を介して動力が入力軸６ａに伝達されるようになっている。
【００１９】
主フレーム３の左右両端部には伝動フレーム（チェーンケース）８と側部フレーム９が垂設され、伝動フレーム８と側部フレーム９の下部間には多数の耕耘爪を取り付けた耕耘ロータ１３が回転自在に支持されている。主フレーム３内には伝動機構が設けられ、この伝動機構が伝動フレーム８内の伝動機構と連結されて、入力軸６ａに伝達された動力がこれらの伝動機構を介して作業機本体２の耕耘ロータ１３と左作業体２０Ｌ、右作業体２０Ｒに設けられた耕耘ロータに伝達されて、作業機本体２の耕耘ロータ１３と左作業体２０Ｌ、右作業体２０Ｒに設けられた耕耘ロータを所定方向に回転させるように構成されている。
【００２０】
伝動フレーム８と側部フレーム９の上部間には耕耘ロータ１３の上部を覆うシールドカバー１０が設けられている。このシールドカバー１０の後端部には、前端部が上下方向に回動自在に取り付けられて後側が斜め下方へ延びる第１整地板１１が取り付けられ、第１整地板１１の後端部によって耕土表面が平らに整地される。第１整地板１１の後端部には、第２整地板１２が上下方向に回動自在に取り付けられ、この第２整地板１２によって圃場の耕土表面が平らに整地される。
【００２１】
作業機本体２の左右両端部には、シールドカバー１０の上方位置に前後方向に延びる軸部１４が設けられ、この軸部１４を中心として左作業体２０Ｌ、右作業体２０Ｒが上下方向に回動自在に設けられている。これら左作業体２０Ｌ及び右作業体２０Ｒは、作業者によって作業機本体２の上方に折り畳まれる格納位置と、作業機本体２の側方に展開される展開位置Ｐｔとの間を移動する。
【００２２】
左作業体２０Ｌ、右作業体２０Ｒは、左右対称の構造であり、左作業体２０Ｌで説明すると、左右両側に側部フレーム２２Ｌ、２３Ｌが配設され、これらの側部フレーム２２Ｌ、２３Ｌの下部間には耕耘ロータが回転自在に支持され、側部フレーム左２２Ｌ、２３Ｌの上部間には耕耘ロータの上部を覆うシールドカバー左２４Ｌが設けられている。シールドカバー左２４Ｌの後端部には、第１整地板左２６Ｌが上下方向に回動自在に取り付けられ、第１整地板左２６Ｌの後端部に第２整地板左２８Ｌが上下方向に回動自在に取り付けられている。
【００２３】
第１整地板左２６Ｌ及び第２整地板左２８Ｌは、左作業体２０Ｌの展開姿勢時に、作業機本体２の第１整地板１１及び第２整地板１２に接合して、第１整地板左２６Ｌ及び第２整地板左２８Ｌに設けられた連結部材３０、３１を介して連結され、左作業体２０Ｌの折り畳み姿勢時には、連結部材３０、３１の連結が解除されて第１整地板左２６Ｌ及び第２整地板左２８Ｌが作業機本体２の外端部から離反して第１整地板１１及び第２整地板１２との接合が解除されるようになっている。
【００２４】
＜第１実施形態＞
次に、図１及び図３を用いて代かき作業機１に設けられた耕深表示装置４０について説明する。耕深表示装置４０は、作業機本体２に設けられた第２整地板１２の上下方向の回動に伴って上下方向に移動自在なリンク機構部４１と、リンク機構部４１の移動に応じて耕深を表示する耕深表示部５０とを有してなる。
【００２５】
リンク機構部４１は、ギアボックス６の後部に一端部が回動自在に接続されて他端側が機体進行方向後側に延びて上下方向に揺動可能な揺動アーム４２と、揺動アーム４２の他端部と第２整地板１２の上面との間に接続された連結ロッド４４とを有してなる。すなわち、揺動アーム４２は連結ロッド４４を介して第２整地板１２に接続されている。揺動アーム４２の一端部はギアボックス６の後部に横方向に延びる軸部４３を回動支点として回動自在に接続されている。連結ロッド４４の両端部は、揺動アーム４２及び第２整地板１２に対して回動自在に接続されている。このため、第２整地板１２が上下方向に回動すると、連結ロッド４４を介して揺動アーム４２が軸部４３を回動支点として上下方向に回動する。
【００２６】
耕深表示部５０は、複数の異なる耕深を示す数字や文字等の指標が、数字や文字などの指標ごとに異なる形状で表示されてギアボックス６の上方に配設された表示板５１と、表示板５１に沿って移動自在に支持された指針アーム５５とを含む。
【００２７】
本実施形態では、表示板５１は、階段形状に形成されてギアボックス６の上方に前後方向に延びている。表示板５１の表面には、その後側から前側に向かって文字と複数の数字が記載されている。本実施形態では、表示板５１の後側に「浅」の文字が記載され、この文字よりも前側の位置に「５」の数字が記載され、「５」の文字よりも前側に「１０」、「１５」の数字が記載され、「１５」の数字よりも前側の位置に「深」の文字が記載されている。これらの文字と数字は、前後方向に所定間隔を有している。ここで、「浅」の文字の意味は、耕深が「浅い」ことを意味し、「深」の文字の意味は、耕深が「深い」ことを意味する。文字とこれに隣接する数字との間及び隣接する数字間には、表示板５１の幅方向に延びる仕切り線Ｌが表示されている。また、段階をより細かく示すために、数字の横には、棒状のものが配置されている。たとえば、「５」という数字の横には、５つの棒状のものが配置されている。これにより、「１．２５」ごとの細かい段階を確認することが可能となる。この表示板５１は、走行機体９０に搭乗した作業者が目視で表示板５１の表面に記載された数字等を視認し易いように走行機体側に斜めに傾いた状態で設けられている。
【００２８】
このように、本実施形態では、表示板５１が耕深の程度に応じて、階段形状になっている。そのため、泥水や泥が表示板５１にある耕深を示す指標である数字に付着して数字自体を読み取ることができなくなった場合であっても、作業者は、表示板５１の形状を確認することによって、耕深の程度を確認することができる。なお、本実施形態では、階段形状をなす各階段は、矩形となっているが、この形状に限定されない。例えば、三角形の形状であってもよいし、曲線からなる形状であってもよい。数字や文字などの指標ごとに異なる形状になってさえあればよい。
【００２９】
指針アーム５５は、表示板５１の幅方向一方側（左側）に沿って前後方向に延び、その後端部には、揺動アーム側へ突出する軸部５６が設けられている。この軸部５６は揺動アーム４２に設けられた孔部４２ａに摺動可能に挿入されている。
【００３０】
指針アーム５５の前端部には表示板５１に表示された文字や数字等の指標を指し示す指針５７が取り付けられている。指針５７は、円柱状に形成されて先端部がＶ字状に形成され、指針アーム５５の延びる方向に対して直交する方向を向いた状態で指針アーム５５に取り付けられている。
【００３１】
指針５７は、ギアボックス６に固定された案内板５９の案内孔５９ａに挿入されて案内孔５９ａに沿って表示板５１の表面の上方を移動する。案内板５９は、指針アーム５５の右側に沿って配置されてギアボックス６上に固定され、案内板５９の右側上部には表示板５１が前後方向に延びて固着されている。表示板５１よりも上方の案内板５９には表示板５１の表面に沿って延びる長孔状の案内孔５９ａが設けられている。案内孔５９ａは、円柱状に形成された指針５７が移動できるような幅を有している。このため、揺動アーム４２が軸部４３を回動支点として上下方向に回動すると、指針アーム５５が前後方向に移動して指針５７を案内孔５９ａに沿って前後方向に移動させる。
【００３２】
次に、耕深表示装置４０の指針５７が指し示す指標である数字（５、１０、１５）と耕耘ロータ１３による耕土の耕深Ｄとの関係を、図４及び図５を用いて説明する。耕深表示装置４０は、図４に示すように、耕耘ロータ１３による耕土の耕深Ｄが浅い場合（図面ではＤ＝約１００ｍｍ）には、第１整地板１１は圃場表面Ｈａに対して角度θ（図面ではθ＝約４４°）を有して傾く。この第１整地板１１の回動に伴って第２整地板１２は第１整地板１１に対して回動して、第２整地板１２は第１整地板１１に対して角度α（図面ではα＝約１３６°）を有して圃場表面Ｈａに接地する。また、第２整地板１２の回動に伴って連結ロッド４４を介して揺動アーム４２が上下方向に回動して、指針５７が数字の「１０」付近を指し示す。ここで、「５」「１０」「１５」という数字や「浅」「深」という文字が泥水や泥によって、見えなくなっていたとしても、「浅」「５」「１０」「１５」「深」は、それぞれ形状が異なっていることから、作業者は、どの形状の位置に指針５７があるかを確認することによって、耕深の程度を確認することができる。
【００３３】
これに対し、耕深Ｄが比較的に深い場合（図面ではＤ＝約２００ｍｍ）には、図５に示すように、第１整地板１１は、図４の場合と比較して、より上方へ回動して圃場表面Ｈａに対して角度θよりも小さな角度θ'（図面ではθ'＝約２３°）を有して傾く。この第１整地板１１の回動に伴って、第２整地板１２は、第１整地板１１に対して角度α'（図面ではα'＝約１５７°）を有して圃場表面Ｈａに接地する。また、第２整地板１２の回動に伴って連結ロッド４４を介して揺動アーム４２が上下方向に回動して、指針５７が数字の「１５」付近を指し示す。耕深Ｄが浅い場合と同様に、「５」「１０」「１５」という数字や「浅」「深」という文字が泥水や泥によって、見えなくなっていたとしても、「浅」「５」「１０」「１５」「深」は、それぞれ形状が異なっていることから、作業者は、どの形状の位置に指針５７があるかを確認することによって、耕深の程度を確認することができる。
【００３４】
このように、本願発明の耕深表示装置４０は、耕深Ｄの深さに応じて第１整地板１１に対して第２整地板１２が回動し、この第２整地板１２の回動に伴って揺動アーム４２が上下方向に回動して指針５７を前後方向に移動させる。そのため、走行機体９０に搭乗した作業者は、どの形状の位置に指針５７があるかを確認することによって、耕深の程度を確認することができる。従って、代かき作業中に指針５７が「深」の文字側にずれた場合には、作業者は、耕深が浅くなるように三点リンク連結機構を介して代かき作業機１を持ち上げるための操作をする。また代かき作業中に指針５７が「浅」の文字側にずれた場合には、作業者は、耕深が深くなるように三点リンク連結機構を介して代かき作業機１を下方に降ろす操作をする。従って、代かき作業時の耕深を一定にすることができる。
【００３５】
＜比較例＞
図９は、従来の代かき作業機の耕深表示装置の耕深表示部の平面図である。従来の耕深表示部の表示板には、「土寄せ」の文字及び耕深の程度を表わす「１」「２」「３」「４」の数字がある。そして、耕深が変化すると、指針アームが移動し、指針が指し示す耕深を示す指標が変わる。そのため、作業者は、指針が指し示す上記の記号を確認することによって、耕深の程度を確認することが可能であった。しかし、表示板は、長方形状に形成されているため、「１」「２」「３」「４」、いずれの耕深であっても、同じ形状である。そのため、耕深を示す指標である数字に泥水や泥がついてしまうと、作業者は、この数字を読むこと自体ができなくなってしまう。その結果、作業者が耕深の程度を確認することができず、作業者が水の多少によって実際の耕深を見誤って、耕深を一定にすることができなくなってしまうのである。
【００３６】
＜第１実施形態の変形例＞
第１実施形態の変形例では、図６に示されるように、指針アーム５５Ａの一端部が揺動アーム４２に固着されている。他方、第１実施形態では、軸部５６は、揺動アーム４２の孔部４２ａに摺動可能に挿入されている。
【００３７】
このように指針アーム５５Ａの一端部が揺動アーム４２に固着されているため、揺動アームが軸部４３を中心として回動すると、指針５７Ａも軸部４３を中心として前後方向に円弧状に移動する。そのため、第１実施形態と異なり、表示板５１Ａは、軸部４３を中心とし円弧状に形成されている。
【００３８】
本変形例でも、第１実施形態と同様に、表示板５１Ａが耕深の程度に応じて、階段形状になっている。そのため、泥水や泥が表示板５１Ａにある耕深を示す指標である数字に付着して数字自体を読み取ることができなくなった場合であっても、作業者は、表示板５１Ａの形状を確認することによって、耕深の程度を確認することができる。
【００３９】
＜第２実施形態＞
図７は、第２実施形態に係る耕深表示装置の耕深表示部を示す図である。本実施形態では、「深」から「浅」に向かって、表示板５１Ｂの幅が狭まっている。第１実施形態と同様に、耕深を示す指標ごとに異なる形状である。しかし、本実施形態では、第１実施形態と異なり、表示板５１Ｂは階段形状ではない。
【００４０】
本実施形態では、「５」「１０」「１５」という数字や「浅」「深」という文字が泥水や泥によって、見えなくなっていたとしても、「浅」「５」「１０」「１５」「深」は、それぞれ形状が異なっていることから、作業者は、どの形状の位置に指針５７Ｂがあるかを確認することによって、耕深の程度を確認することができる。
【００４１】
第２実施形態においても、第１実施形態の変形例と同様の構成を採ることができるが、説明が重複するため、ここでの説明は省略する。
【００４２】
＜第３実施形態＞
図８（ａ）は、第３実施形態に係る耕深表示装置が搭載された代かき作業機のうち、主に耕深表示装置を示す上面図であり、図８（ｂ）は、第３実施形態に係る耕深表示装置が搭載された代かき作業機のうち、主に耕深表示装置を示す側面図である。図８（ｃ）は、第３実施形態に係る耕深表示部５０Ｃの平面図である。図８（ａ）、図８（ｂ）及び図８（ｃ）は、それぞれの部位が対応するように描かれている。本実施形態と第１実施形態の相違点を説明する。本実施形態では、第１実施形態と異なり、第１整地板１１の上に、取付部７１が取り付けられ、取付部７１の一端側にリンク部材７２が回動自在に設けられている。また、本実施形態では、リンク部材７２の他端側が指針アーム５５Ｃの一端側に回動自在に設けられている。他方、第１実施形態では、指針アーム５５の一端側が、揺動アーム４２に回動自在に設けられている。
【００４３】
本実施形態では、第１整地板１１が、上方向に回動すると、リンク部材７２が、機体５の進行方向を基準として前方向に移動し、リンク部材７２が前方向に移動すると、指針アーム５５Ｃが、軸部７４を回動支点として、上方向に回動する。これにより指針アーム５５Ｃに取り付けられた指針５７Ｃが指し示す耕深が「深」方向に移動する。表示板５１Ｃの形状や文字等は、第１実施形態の表示板５１と同じである。ここで、図８（ｂ）において、第１整地板１１の上下方向への回動を符号８０で表わし、リンク部材７２の機体５の進行方向を基準とした前後方向への移動を符号８２で表わし、指針アーム５５Ｃの上下方向への回動を符号８４で表わしている。
【００４４】
本実施形態でも、第１実施形態と同様に、表示板５１Ｂが耕深の程度に応じて、階段形状になっている。そのため、泥水や泥が表示板５１Ｂにある耕深を示す指標である数字に付着して数字自体を読み取ることができなくなった場合であっても、作業者は、表示板５１Ｃの形状を確認することによって、耕深の程度を確認することができる。なお、本実施形態でも、第１実施形態と同様に、階段形状をなす各階段は、矩形となっているが、この形状に限定されない。例えば、三角形の形状であってもよいし、曲線からなる形状であってもよい。数字や文字などの指標ごとに異なる形状になってさえあればよい。
【００４５】
また、本実施形態では、第１実施形態よりも、耕深表示部５０Ｃの位置の自由度が高い。すなわち、第１実施形態では、図２のように耕深表示部５０が機体５のほぼ中心にあるのに対し、本実施形態では、連結ロッド４４、揺動アーム４２を必要としないため、耕深表示部５０Ｃが機体５の中心より左右いずれの位置に配置することも可能である。作業者は、走行機体９０から、表示板を確認する際、走行機体９０の進行方向を基準として後方を振り返ることになる。作業機体９０の中心と機体５の中心とはほぼ一致することから、第１実施形態では、表示板５１は、作業機体９０のほぼ中心線上にあることになる。そうすると、作業者が耕深表示部５０の表示板５１の示す耕深を確認するためには、作業者は、首をほぼ１８０度回転させなければならず、確認しづらいことになる。他方、本実施形態では、耕深表示部５０Ｃの表示板５１Ｃは、機体５の中心より左右いずれかの位置に配置される。そうすると、作業者が表示板５１Ｃの示す耕深を確認するためには、首をほぼ１８０度にまで回転させる必要はなく、確認しやすくなる。
【００４６】
上記のとおり、本実施形態では、耕深が変わると、第１整地板１１の回動に伴って、リンク部材７２が移動し、リンク部材７２の移動に伴って、指針アーム５５Ｃが回動し、耕深の程度を指し示す指針５７Ｃの位置が変わる。このように指針５７Ｃの動きを第１整地板１１の位置に連動させることで、作業者は、より正確な耕深の程度を確認することができる。すなわち、第１実施形態のように、指針５７の動きを第２整地板１２の位置に連動させる場合、第２整地板１２が、第１整地板１１の位置が変わらないにもかかわらず、動いてしまう場合があるため、正確な耕深を確認することができないという場合がある。例えば、代かき作業開始時、畦際から作業を開始しようとする際、作業機を畦際に下げるときに、第２整地板１２が畦に乗り上げてしまうことがある。この場合、実際の耕深とは関わらず、第２整地板１２の動きに合わせて、指針５７が動いてしまうのである。他方、本実施形態では、指針５７Ｃの動きを第１整地板１１の位置に連動させているため、このような事態は生じない。
【００４７】
次に、耕深表示装置４０Ｃの指針５７Ｃが指し示す数字（５、１０、１５）と耕耘ロータ１３による耕土の耕深Ｄとの関係を、図４及び図８を用いて説明する。本実施形態（図８）を、図４のように動作させる。すなわち、耕耘ロータ１３による耕土の耕深Ｄが浅い場合（図面ではＤ＝約１００ｍｍ）には、第１整地板１１は圃場表面Ｈａに対して角度θ（図面ではθ＝約４４°）を有して傾く。この第１整地板１１の回動に伴って、リンク部材７２が移動する。そして、リンク部材７２の移動に伴って、指針アーム５５Ｃが回動して、指針５７Ｃが数字の「１０」付近を指し示す。ここで、「５」「１０」「１５」という数字や「浅」「深」という文字が泥水や泥によって、見えなくなっていたとしても、「浅」「５」「１０」「１５」「深」は、それぞれ形状が異なっていることから、作業者は、どの形状の位置に指針５７があるかを確認することによって、耕深の程度を確認することができる。
【００４８】
次に、本実施形態（図８）を、図５のように動作させる。すなわち、耕深Ｄが比較的に深い場合（図面ではＤ＝約２００ｍｍ）には、第１整地板１１は、図４の場合と比較して、より上方へ回動して圃場表面Ｈａに対して角度θよりも小さな角度θ'（図面ではθ'＝約２３°）を有して傾く。この第１整地板１１の回動に伴って、リンク部材７２が進行方向を基準として前方向に移動する。そして、リンク部材７２の移動に伴って、指針アーム５５Ｂが上方向に回動して、指針５７Ｃが数字の「１５」付近を指し示す。耕深Ｄが浅い場合と同様に、「５」「１０」「１５」という数字や「浅」「深」という文字が泥水や泥によって、見えなくなっていたとしても、「浅」「５」「１０」「１５」「深」は、それぞれ形状が異なっていることから、作業者は、どの形状の位置に指針５７Ｃがあるかを確認することによって、耕深の程度を確認することができる。
【００４９】
また、第３実施形態の耕深表示部５０Ｃを、第２実施形態の耕深表示部５０Ｂに置き換えることも可能である。
【００５０】
なお、第１実施形態から第３実施形態について、代かき作業機を用いて説明したが、本発明における耕深表示装置が適用されるのは代かき作業機に限られず、他の農作業機であってもよい。例えば、代かき作業機１のように第２整地板１２、連結ロッド４４、揺動アーム４２を含まない農作業機であるロータリ作業機であっても、第３実施形態のように第１整地板１１の回動に伴って、指針５７Ｃが移動する構成であれば、本発明における耕深表示装置が適用可能である。
【符号の説明】
【００５１】
１、１Ａ：代かき作業機  ２：作業機本体  ３：主フレーム  ５：機体
６：ギアボックス  ６ａ：入力軸  １０：シールドカバー（カバー部）
１１：第１整地板  １２：第２整地板  １３：耕耘ロータ
２２Ｌ、２３Ｌ：側部フレーム
３０、３１：連結部材
４０、４０Ａ：耕深表示装置  ４１：リンク機構部  ４２：揺動アーム  
４３、５６、７０、７３、７４：軸部  ４４：連結ロッド
５０、５０Ａ、５０Ｂ、５０Ｃ：耕深表示部  
５１、５１Ａ、５１Ｂ、５１Ｃ：表示板  
５５、５５Ａ、５５Ｂ、５５Ｃ：指針アーム  
５７、５７Ａ、５７Ｂ、５７Ｃ：指針  
５９：案内板  ５９ａ：案内孔  ７１：取付部  ７２：リンク部材
８０：第１整地板１１の回動方向  ８２：リンク部材７２の移動方向
８４：指針アーム５５Ａの回動方向
９０：走行機体
９１：表示板  ９５：指針アーム  ９６：軸部  ９７：指針
９９：案内板  １００：耕深表示部
【図１】
2016198073.tif 000003
【図２】
2016198073.tif 000004
【図３】
2016198073.tif 000005
【図４】
2016198073.tif 000006
【図５】
2016198073.tif 000007
【図６】
2016198073.tif 000008
【図７】
2016198073.tif 000009
【図８】
2016198073.tif 000010
【図９】
2016198073.tif 000011